(57)【特許請求の範囲】
【請求項１】
特定種類のプラグが接続されるように該プラグのプラグ本体に形成された一つの形態の係合部が係合する一つの形態の被係合部をアダプタ本体に形成してなる流体配管用アダプタにおいて、
上記アダプタ本体に、別の形態の係合部を有した特定種類のプラグが接続されるように、該別の形態の被係合部を上記一つの形態の被係合部とともに形成し、
上記一つの形態の係合部及び被係合部のいずれか一方が所定角度関係で配置された複数のピンで構成され、上記一つの形態の係合部及び被係合部のいずれか他方が上記ピンに対応して所定角度関係で配置され上記ピンが挿通される複数の挿通孔で構成され、
上記別の形態の係合部及び被係合部のいずれか一方が所定直径の円弧状の突条で構成され、上記別の形態の係合部及び被係合部のいずれか他方が上記円弧状の突条に対応した所定直径を有し上記円弧状の突条が嵌合する円弧状の溝で構成されたことを特徴とする流体配管用アダプタ。
【請求項２】
上記挿通孔と円弧状の溝とを連通して形成したことを特徴とする請求項１記載の流体配管用アダプタ。
【発明の詳細な説明】
【０００１】
【発明の属する技術分野】
本発明は、気体や液体等を送給する流体配管に設けられ、プラグが接続される流体配管用アダプタに関する。
【０００２】
【従来の技術】
一般に、例えば、病院等で医療用に用いられる流体の配管においては、図５に示すように、手術室や病室の壁に各種の気体を供給したり吸引したりするためのバルブ型のアダプタ１を設け、適時にこのアダプタ１にプラグＰを接続して使用可能にしている。
このアダプタ１においては、誤接続があると事故につながることもあることから、特定のプラグＰのみが接続されるように、プラグＰに係合部を形成し、アダプタ１に係合部に係合する被係合部を設け、接続時にこの係合部と被係合部との係合によって照合できるようにしている。
この医療用のアダプタにおいては、ＪＩＳ規格が定められている。この規格では、係合部及び被係合部について２種類の形態が採用されている。
【０００３】
一つの形態は、図６に示すように、係合部ＫＡ1 及び被係合部ＫＡ2 のいずれか一方が所定角度関係で配置された複数のピン２で構成され、係合部ＫＡ1 及び被係合部ＫＡ2 のいずれか他方がピン２に対応して所定角度関係で配置されピン２が挿通される複数の挿通孔３で構成されている。
そして、供給されるガス等の仕様に応じて、図６（ａ）（ｂ）（ｃ）（ｄ）に示すように、ピン２（挿通孔３）の数と角度とを規定して、特定の組合せのみが接続できるようにしている。この例では、酸素においては、１８０度の角度関係に位置する２つのピン２（挿通孔３）で規定し、亜酸化窒素において、１３５度の角度関係に位置する２つのピン２（挿通孔３）で規定し、治療用空気において、１２０度の等角度関係に位置する３つのピン２（挿通孔３）で規定し、吸引用の接続において、９０度の角度関係に位置する２つのピン２（挿通孔３）で規定している。
【０００４】
また。別の形態は、図７に示すように、係合部ＫＢ1 及び被係合部ＫＢ2 のいずれか一方が所定直径の円弧状の突条４で構成され、係合部ＫＢ1 及び被係合部ＫＢ2 のいずれか他方が円弧状の突条４に対応した所定直径を有し円弧状の突条４が嵌合する円弧状の溝５で構成されている。
そして、供給されるガス等の仕様に応じて、円弧の直径を、図７（ｃ）に示す表のように規定して、特定の組合せのみが接続できるようにしている。この例では、円弧状の溝５の最大内径（Ｃ寸法）で示すと、酸素においては、２１ｍｍで規定し、亜酸化窒素において、２４．３ｍｍで規定し、治療用空気において、２３ｍｍで規定し、吸引用の接続において、２５ｍｍで規定している。
従来においては、アダプタＡ及びプラグＰにおいて、いずれか一つの形態を採用し、特定種類同士のアダプタＡ及びプラグＰが接続されるようにしている。
【０００５】
【発明が解決しようとする課題】
ところで、この従来の流体配管用アダプタにおいては、いずれか一つの形態を採用しているので、別の形態のプラグＰの接続ができないことから、同種類（例えば酸素仕様のプラグＰ）であっても、接続ができずに、プラグＰが設けられる機器側に制約が生じてしまうという問題があった。
例えば、アダプタＡが上記ピンタイプの形態を採用している場合に、円弧タイプの形態の酸素吸入器を接続することができないので、機器の購入時に制約を受けてしまう。また、円弧タイプの形態の酸素吸入器を接続仕様とした場合には、逐一プラグＰをピンタイプに変更しなければならないので、緊急時に対応が遅れることがある等の支障が生じる。
本発明は上記の問題点に鑑みてなされたもので、プラグの接続形態が異なっても、同一種類の流体であれば接続できるようにし、汎用性の向上を図った流体配管用アダプタの提供を目的とする。
【０００６】
【課題を解決するための手段】
このような課題を解決するための本発明の流体配管用アダプタは、特定種類のプラグが接続されるように該プラグのプラグ本体に形成された一つの形態の係合部が係合する一つの形態の被係合部をアダプタ本体に形成してなる流体配管用アダプタにおいて、上記アダプタ本体に、別の形態の係合部を有した特定種類のプラグが接続されるように、該別の形態の被係合部を上記一つの形態の被係合部とともに形成した構成としている。
そして、必要に応じ、上記一つの形態の係合部及び被係合部のいずれか一方が所定角度関係で配置された複数のピンで構成され、上記一つの形態の係合部及び被係合部のいずれか他方が上記ピンに対応して所定角度関係で配置され上記ピンが挿通される複数の挿通孔で構成され、上記別の形態の係合部及び被係合部のいずれか一方が所定直径の円弧状の突条で構成され、上記別の形態の係合部及び被係合部のいずれか他方が上記円弧状の突条に対応した所定直径を有し上記円弧状の突条が嵌合する円弧状の溝で構成されている。
この場合、上記挿通孔と円弧状の溝とを連通して形成したことが有効である。
【０００７】
【発明の実施の形態】
以下、添付図面に基づいて本発明の実施の形態に係る流体配管用アダプタについて説明する。
図１乃至図４に示すように、本発明の実施の形態に係る流体配管用アダプタＡは、上記と同様に、病院等で医療用に用いられるものであり、手術室や病室の壁に取付けられ、プラグＰが接続される。
このアダプタＡは、特定種類のプラグＰが接続されるようにプラグ本体１０に形成された一つの形態の係合部ＫＡ1 が係合する一つの形態の被係合部ＫＡ2 をアダプタ本体２０に形成し、更に、このアダプタ本体２０に、別の形態の係合部ＫＢ1 を有した特定種類のプラグＰが接続されるように、別の形態の被係合部ＫＢ2 を形成している。
【０００８】
この各形態は、上述したように、ＪＩＳ規格に基づいて定められたものである。
詳しくは、一つの形態は、図６に示すように、係合部ＫＡ1 及び被係合部ＫＡ2 のいずれか一方が所定角度関係で配置された複数のピン２で構成され、係合部ＫＡ1 及び被係合部ＫＡ2 のいずれか他方がピン２に対応して所定角度関係で配置されピン２が挿通される複数の挿通孔３で構成されている。実施の形態においては、係合部ＫＡ1 がピン２で構成され、被係合部ＫＡ2 が挿通孔３で構成されている。
この一つの形態では、酸素においては、１８０度の角度関係に位置する２つのピン２（挿通孔３）で規定し、亜酸化窒素において、１３５度の角度関係に位置する２つのピン２（挿通孔３）で規定し、治療用空気において、１２０度の等角度関係に位置する３つのピン２（挿通孔３）で規定し、吸引用の接続において、９０度の角度関係に位置する２つのピン２で規定している。
【０００９】
また、別の形態は、図７に示すように、係合部ＫＢ1 及び被係合部ＫＢ2 のいずれか一方が所定直径の円弧状の突条４で構成され、係合部ＫＢ1 及び被係合部ＫＢ2 のいずれか他方が円弧状の突条４に対応した所定直径を有し円弧状の突条４が嵌合する円弧状の溝５で構成されている。実施の形態においては、係合部ＫＢ1 が円弧状の突条４で構成され、被係合部ＫＢ2 が円弧状の溝５で構成されている。
この別の形態では、図７（ｃ）に示すように、円弧状の溝５の最大内径（Ｃ寸法）で示すと、酸素においては、２１ｍｍで規定し、亜酸化窒素において、２４．３ｍｍで規定し、治療用空気において、２３ｍｍで規定し、吸引用の接続において、２５ｍｍで規定している。
【００１０】
実施の形態に係るアダプタＡは、図４に示すように、上記の酸素，亜酸化窒素，治療用空気及び吸引用に対応して４種類設けられ、供給されるガス等の仕様に応じて、挿通孔３の数と角度とが規定されるとともに、円弧の直径が規定されている。
詳しくは、先ず、プラグＰについて説明すると、一つの形態のプラグＰは、図１に示すように、円柱状のプラグ本体１０と、該プラグ本体１０に同軸に設けられ一方側に延びチューブ１１が接続される管状のチューブ接続部１２と、チューブ接続部１２に連通してプラグ本体１０に同軸に設けられ他方側に延びる管状の接続杆１３とを備えて構成されている。
そして、プラグ本体１０の接続杆１３がわの端面１３ａに接続杆１３の軸と平行な軸に沿ってピン２を突設している。
【００１１】
一方、他のの形態のプラグＰは、図１及び図７（ａ）に示すように、円盤状のプラグ本体１０と、該プラグ本体１０に同軸に設けられ一方側に延びチューブ１１が接続される管状のチューブ接続部１２と、チューブ接続部１２に連通してプラグ本体１０に同軸に設けられ他方側に延びる管状の接続杆１３とを備えて構成されている。
そして、プラグ本体１０の外周に、接続杆１３がわに延び接続杆１３の軸と平行な壁部を有した円弧状（実施の形態では円環リング状）の突条４を突設している。
【００１２】
実施の形態に係るアダプタＡは、図１乃至図４に示すように、一端にプラグＰの接続杆１３が差し込まれる差し込み口２１を有し他端に配管と接続される配管接続口２２を有した円筒状のアダプタ本体２０を備えている。このアダプタ本体２０内には、プラグＰの接続杆１３の係止溝が係止する係止片２４が設けられている。この係止片２４は、アダプタ本体２０に進退可能に設けられ進出方向（係止方向）に常時バネ手段２５で付勢されており、アダプタ本体２０に同軸で回動可能に嵌着された円筒状の操作体２３の回動によってバネ手段２５の付勢力に抗して後退させられ上記の係止が解除され、プラグＰの接続杆１３を引き抜き可能にしている。また、アダプタ本体２０内には、プラグＰの接続杆１３の差し込みによって開く常閉のバルブ２６、差し込み時に接続杆１３とのシールを行なうシール部材２７、フィルタ２８等が内蔵されている。
【００１３】
そして、アダプタ本体２０の差し込み口２１がわ端面２１ａに、プラグＰの接続杆１３の差し込み時にプラグＰのピン２が挿通される複数の挿通孔３と、プラグＰの突条４が嵌合する円弧状（実施の形態では円環リング状）の溝５とが上記ガスの等の種類に対応させて形成されている。
挿通孔３と溝５とは連通して形成されている。図２（ａ）は挿通孔３と溝５とが重複している場合を示す正面図、図２（ｂ）は挿通孔３と溝５とが離間している場合を示す正面図であり、いずれの場合にも、図３に示すように、挿通孔３と溝５とは連通して形成されている。そのため、見栄えも良く接続も容易に行なわれる。
各アダプタＡは、図４に示すように、手術室や病室の壁に列設されて取付けられており、各種の気体を供給したり吸引したりできるように壁内の配管に接続されている。
【００１４】
従って、実施の形態に係るアダプタＡを使用するときは、適時にこのアダプタＡにプラグＰを接続して使用する。
例えば、酸素吸入が必要で、酸素吸入器のプラグＰを接続するときは、酸素用のアダプタＡに酸素用のプラグＰを差し込む。この場合、プラグＰにおいては、ピン２もしくは突条４が一義的に定められているので、他の気体や吸引用のアダプタＡに差し込んでも、係合部ＫＡ1 ，ＫＢ1 と被係合部ＫＡ2 ，ＫＢ2 とが係合しないので、接続ができない。
この場合、酸素用のプラグＰの係合部が、一つの形態のピンタイプであっても、また、他の形態の円弧タイプであっても、アダプタＡのアダプタ本体２０には、これらの酸素用の係合部ＫＡ1 ，ＫＢ1 が係合する挿通孔３及び溝５が形成されているので、いずれの態様のものでも接続することができる。
そのため、機器の購入時に制約を受けることがなく、いずれのタイプの機器を購入しても対応することができる。
また、形態の異なる酸素吸入器を接続することができ、タイプを選択する必要がなくなるので、緊急時に対応が遅れる事態を防止できる。
【００１５】
尚、係合部ＫＡ1 ，ＫＢ1 及び被係合部ＫＡ2 ，ＫＢ2 の形態は、上述した形態に限定されるものではなく、適宜変更して差支えない。この場合、３以上の形態を一つのアダプタＡに設けることでも良い。
また、プラグＰ及びアダプタＡの形状やその内部構造については、上述した実施の形態に限定されるものではなく、どのような形状のものでも良く、その内部構造についても上述したものに限定されない。
更にまた、流体についても上述したものに限定されるものではなく、どのような流体に用いるアダプタＡであっても良いことは勿論である。
【００１６】
【発明の効果】
以上説明したように、本発明の流体配管用アダプタによれば、アダプタ本体に、一つの形態の被係合部とともに別の形態の被係合部を形成したので、プラグの係合部が、一つの形態のタイプであっても、他の形態のタイプであっても、いずれの態様のタイプのプラグでも接続することができるようになる。
そのため、プラグが設けられる機器の購入時に制約を受けることがなく、いずれのタイプの機器を購入しても対応することができる。
また、形態の異なる機器をいつでも接続することができ、タイプを選択する必要がなくなるので、緊急時に対応が遅れる事態を防止できる。
即ち、プラグの接続形態が異なっても、同一種類の流体であれば接続できるようになるので、汎用性の向上を図ることができ、実用上極めて有用になる。
【００１７】
また、一つの形態の係合部及び被係合部のいずれか一方が所定角度関係で配置された複数のピンで構成され、いずれか他方がピンに対応して所定角度関係で配置されピンが挿通される複数の挿通孔で構成されるとともに、別の形態の係合部及び被係合部のいずれか一方が所定直径の円弧状の突条で構成され、いずれか他方が突条に対応した所定直径を有し突条が嵌合する円弧状の溝で構成された場合には、既存のＪＩＳ規格に合致させることができ、実施化を容易にすることができるという効果がある。
また、挿通孔と溝とを連通して形成した場合には、見栄えも良く接続も容易に行なわせることができるという効果がある。
【図面の簡単な説明】
【図１】本発明の実施の形態に係る流体配管用アダプタをこれに接続されるアダプタとともに示す斜視図である。
【図２】本発明の実施の形態に係る流体配管用アダプタを示す正面図であり、（ａ）は挿通孔と溝とが重複している場合を示す正面図、（ｂ）は挿通孔と溝とが離間している場合を示す正面図である。
【図３】本発明の実施の形態に係る流体配管用アダプタを示す側面断面図である。
【図４】本発明の実施の形態に係る流体配管用アダプタの設置例を示す図である。
【図５】流体配管用アダプタにプラグが接続された一例を示す図である。
【図６】流体配管用アダプタに適用される係合部と被係合部の一つの形態（ＪＩＳ規格）を示す図（ａ）（ｂ）（ｃ）（ｄ）である。
【図７】流体配管用アダプタに適用される係合部と被係合部の別の形態（ＪＩＳ規格）を示す図であり、（ａ）はプラグを示す断面図、（ｂ）は従来の形状に係るアダプタを示す図、（ｃ）は規格値を示す表図である。
【符号の説明】
Ａ  流体配管用アダプタ
Ｐ  プラグ
ＫＡ1   一つの形態の係合部
ＫＡ2   一つの形態の被係合部
ＫＢ1   別の形態の係合部
ＫＢ2   被係合部
１  従来のアダプタ
２  ピン
３  挿通孔
４  突条
５  溝
１０  プラグ本体
１１  チューブ
１２  チューブ接続部
１３  接続杆
１３ａ  端面
１４  係止溝
２０  アダプタ本体
２１  差し込み口
２１ａ  端面
２２  配管接続口
２３  操作体
２４  係止片
【図１】
0003752049.tif 000002
【図２】
0003752049.tif 000003
【図３】
0003752049.tif 000004
【図４】
0003752049.tif 000005
【図５】
0003752049.tif 000006
【図６】
0003752049.tif 000007
【図７】
0003752049.tif 000008